(57)【要約】【課題】本発明は、省電力モードからの復帰を画像形成装置の状態に応じて適切に行う。【解決手段】複合装置１は、消費電力を削減する省電力モードにおいて、所定の省電力復帰要因が発生すると、該省電力モードから電力が全ての部分に供給されている通常モードに復帰させる復帰処理を行うが、複合装置１の異常状態の発生が検出されていると、該復帰処理を該異常状態に基づいて制御するとともに、該異常状態を通知する異常状態通知情報を含む操作画面をＬＣＤ５に表示する。【選択図】          図１
2012137588.tif 000002
【特許請求の範囲】
【請求項１】
画像データに基づいて被記録媒体に画像を形成するとともに、主要各部への電力の供給を遮断または削減する省電力モードを備えた画像形成装置において、
待機状態において所定の待ち時間が経過すると、電力が全ての部分に供給されている通常モードから前記省電力モードに移行させる省電力手段と、
各種情報とともに操作画面を表示する表示手段と、
画像形成装置の異常状態の発生を検出する異常状態検出手段と、
前記省電力モードにおいて、所定の省電力復帰要因が発生すると、該省電力モードから前記通常モードに復帰させる復帰処理を行い、前記異常状態検出手段が前記異常状態を検出していると、該復帰処理を該異常状態に基づいて制御するとともに、前記表示手段に該異常状態を通知する異常状態通知情報を含む操作画面を表示させる復帰制御手段と、
を備えていることを特徴とする画像形成装置。
【請求項２】
前記画像形成装置は、
該画像形成装置を利用する利用者の利用者情報を取得する利用者情報取得手段を備え、
前記復帰制御手段は、
前記省電力モードへ移行する前に前記利用者情報取得手段が取得した利用者情報と前記省電力復帰時に該利用者情報取得手段が取得した利用者情報に基づいて前記異常状態通知情報を含む操作画面の表示内容を変更することを特徴とする請求項１記載の画像形成装置。
【請求項３】
前記画像形成装置は、
前記異常状態の通知を解除する解除手段を備え、
前記復帰制御手段は、
前記解除手段が操作されると、前記異常状態通知情報の前記表示手段への表示を解除し、前記復帰処理を実行して前記通常モードに復帰させることを特徴とする請求項１または請求項２記載の画像形成装置。
【請求項４】
画像データに基づいて被記録媒体に画像を形成するとともに、主要各部への電力の供給を遮断または削減する省電力モードを備えた画像形成装置における省電力制御方法であって、
待機状態において所定の待ち時間が経過すると、電力が全ての部分に供給されている通常モードから前記省電力モードに移行させる省電力処理ステップと、
表示手段への各種情報及び操作画面の表示を行う表示処理ステップと、
画像形成装置の異常状態の発生を検出する異常状態検出処理ステップと、
前記省電力モードにおいて、所定の省電力復帰要因が発生すると、該省電力モードから前記通常モードに復帰させる復帰処理を行い、前記異常状態検出処理ステップで前記異常状態が検出されていると、該復帰処理を該異常状態に基づいて制御するとともに、前記表示手段に該異常状態を通知する異常状態通知情報を含む操作画面を表示させる復帰制御処理ステップと、
を有していることを特徴とする省電力制御方法。
【請求項５】
画像データに基づいて被記録媒体に画像を形成するとともに、主要各部への電力の供給を遮断または削減する省電力モードを備えた画像形成装置の搭載する省電力制御プログラムであって、
コンピュータに、
待機状態において所定の待ち時間が経過すると、電力が全ての部分に供給されている通常モードから前記省電力モードに移行させる省電力処理と、
表示手段への各種情報及び操作画面の表示を行う表示処理と、
画像形成装置の異常状態の発生を検出する異常状態検出処理と、
前記省電力モードにおいて、所定の省電力復帰要因が発生すると、該省電力モードから前記通常モードに復帰させる復帰処理を行い、前記異常状態検出処理で前記異常状態が検出されていると、該復帰処理を該異常状態に基づいて制御するとともに、前記表示手段に該異常状態を通知する異常状態通知情報を含む操作画面を表示させる復帰制御処理と、
を実行させることを特徴とする省電力制御プログラム。
【請求項６】
請求項５記載の省電力制御プログラムを記録したことを特徴とするコンピュータが読み取り可能な記録媒体。
【発明の詳細な説明】
【技術分野】
【０００１】
本発明は、画像形成装置、省電力制御方法、省電力制御プログラム及び記録媒体に関し、詳細には、省電力モードからの復帰を適切に行う画像形成装置、省電力制御方法、省電力制御プログラム及び記録媒体に関する。
【背景技術】
【０００２】
複合装置、複写装置、プリンタ装置等の画像形成装置においては、消費電力を削減するために、従来から、待機状態で動作要求が発生することなく予め設定された待ち時間が経過すると、画像形成装置の一部の機能を停止させて消費電力を削減させる省電力モードを備えている。この省電力モードとしては、複数の種類があり、中でもＳＴＲ（Suspend to RAM）モードという、ＣＰＵ（Central Processing Unit）の機能を停止、または、供給電力自体を停止して、省電力効果をより一層向上させる省電力モードがある。このＳＴＲモードは、通常モードにおいて操作表示部を操作している画面情報をＲＡＭ（Random Access Memory）等のメモリに保存して省電力モードに移行し、省電力復帰時に、メモリに保存した画面情報を読み出して操作表示部に表示させる省電力モードである。すなわち、省電力移行前の操作表示部の表示状態を省電力復帰時に操作表示部に復元する。また、ＳＴＲモードにおいては、画像形成装置のハードディスク等の不揮発性メモリにメモリの内容等を保存してハイバネーション（hibernation：休止状態）に移行して、大幅に電力を削減するハイバネーションモードもある。
【０００３】
ところが、従来のＳＴＲモードにおいては、省電力モードから復帰する際に、省電力モードヘ移行する前の操作者と省電力から復帰する際の操作者が同じか否かにかかわらず、省電力モードへ移行する際にメモリに保存した操作状態を操作表示部に復元させているため、省電力移行前の操作者と省電力復帰時の操作者が異なると、利用性が悪いという問題があった。すなわち、省電力移行前の操作者と異なる操作者が省電力復帰操作を行った場合、省電力移行前の操作者の操作途中における操作画面が操作表示部に表示されるため、画像形成装置の利用目的が省電力移行前の操作者の利用目的と異なるときには、一旦操作表示部の画面を初期状態に戻した後に、意図する利用目的の操作を操作表示部に対して行う必要がある。したがって、省電力移行前の操作者と異なる操作者が省電力復帰操作を行うと、該操作者にとっては、余分な操作を強いられることとなり、利用性が悪い。
【０００４】
そして、従来、操作部の表示を行い電熱変換手段に通電するスタンバイモードにあって、操作部の表示を消して電熱変換手段の通電を止める休止モードへの移行条件が成立した場合に、人体検知手段が、操作部近くのオペレータの存否を検出しているときには操作部の表示はそのままで電熱変換手段への通電を止め、その後、入力および動作指示がなく設定時間が経過すると休止モードに移行して、該設定時間の経過の前に入力又は動作指示があるとスタンバイモードに復帰する技術が提案されている（特許文献１参照）。
【発明の概要】
【発明が解決しようとする課題】
【０００５】
しかしながら、上記公報記載の従来技術にあっては、操作者の存在を検知してスタンバイモードから省電力モードへの移行を制御しているのみであるため、画像形成装置の状態を正確に操作者に認識させて利用性を向上させる上で、改良の必要があった。すなわち、省電力モードへ移行する際に、画像形成装置において、例えば、トナー等の現像剤不足等の異常状態が発生している場合、上記公報記載の従来技術にあっては、画像形成装置の異常状態を操作表示部の画面に表示することができず、現像剤不足の状態で画像形成を行なって、薄い画像が形成され、改めて現像剤の補充等の作業を行なった後に、画像形成のやり直しを行うことが強いられることとなって、画像形成装置の利用性を向上させる上で、改良の必要があった。
【０００６】
そこで、本発明は、省電力モードからの復帰時に画像形成装置の状態を適切に認識することができ、利用性を向上させることのできる画像形成装置、省電力制御方法、省電力制御プログラム及び記録媒体を提供することを目的としている。
【課題を解決するための手段】
【０００７】
本発明は、上記目的を達成するために、待機状態において所定の待ち時間が経過して移行した省電力モードにおいて、所定の省電力復帰要因が発生すると、該省電力モードから電力が全ての部分に供給されている通常モードに復帰させる復帰処理を行うが、画像形成装置の異常状態の発生が検出されていると、該復帰処理を該異常状態に基づいて制御するとともに、表示手段に該異常状態を通知する異常状態通知情報を含む操作画面を表示することを特徴としている。
【０００８】
また、本発明は、画像形成装置を利用する利用者の利用者情報を取得し、前記省電力モードへ移行する前に取得した利用者情報と前記省電力復帰時に取得した利用者情報に基づいて前記異常状態通知情報を含む操作画面の表示内容を変更することを特徴としてもよい。
【０００９】
さらに、本発明は、前記異常状態の通知の解除が指示されると、前記異常状態通知情報の前記表示手段への表示を解除し、前記復帰処理を実行して前記通常モードに復帰することを特徴としてもよい。
【発明の効果】
【００１０】
本発明によれば、省電力モードからの復帰時に画像形成装置の状態を適切に認識することができ、利用性を向上させることができる。
【図面の簡単な説明】
【００１１】
【図１】本発明の一実施例を適用した複合装置の概略ブロック構成図。
【図２】操作制御部のブロック構成図。
【図３】実行制御部のブロック構成図。
【図４】実行制御部のＯＰＵ  Ｉ／Ｆと操作制御部のインターフェイス部のブロック構成図。
【図５】基本処理を示すフローチャート。
【図６】図５の続きの基本処理を示すフローチャート。
【図７】エラー確認処理を示すフローチャート。
【図８】操作者情報設定処理を示すフローチャート。
【図９】省電力復帰処理を示すフローチャート。
【発明を実施するための形態】
【００１２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１３】
図１〜図９は、本発明の画像形成装置、省電力制御方法、省電力制御プログラム及び記録媒体の一実施例を示す図であり、図１は、本発明の画像形成装置、省電力制御方法、省電力制御プログラム及び記録媒体の一実施例を適用した複合装置１の概略ブロック構成図である。
【００１４】
図１において、複合装置（画像形成装置）１は、実行制御部２、操作制御部３、オペレーションパネル４、ＬＣＤ（Liquid Crystal Display）５、スピーカ６、スキャナ部７、プロッタ部８、ＰＳＵ（Power Supply Unit：電源供給部）９、ＦＥＴ（Field Effect Transistor ）１０、ＦＥＴ１１及び電源スイッチ１２等を備えているとともに、図示しないＦＣＵ（（Facsimile Control Unit：ファクシミリ部）等を備えており、コピー機能、プリンタ機能、スキャナ機能、ファクシミリ通信機能、データ転送機能等の複数の機能を備えている。また、後述するように、複合装置１は、各部へ電力を供給する通常モードと、動作待機状態が予め設定されている待ち時間経過すると、主要各部への電力供給を停止したり、供給電力を削減する省電力モードと、を備えている。
【００１５】
ＰＳＵ９には、電源スイッチ１２を介してＡＣ（交流）１００Ｖの商用電源の電力が供給され、ＰＳＵ９は、ＡＣ電源をＤＣ（直流）変換したり、電圧変換して、複合装置１の各部に必要な電源電力を供給する。特に、ＰＳＵ９は、実行制御部２及び操作制御部３には、常に電力を供給するが、スキャナ部７及びプロッタ部８には、それぞれＦＥＴ１０及びＦＥＴ１１を介して供給する。電源スイッチ１２は、操作者によってオン／オフ操作されることで、商用電源電力とＰＳＵ９との接続／切り離しを行う。
【００１６】
スキャナ部７は、例えば、ＣＣＤ（Charge Coupled Device）またはＣＭＯＳ（Complementary Metal Oxide Semiconductor ）を利用したイメージスキャナが用いられており、スキャナ部７には、ＰＳＵ９からＦＥＴ１０を介して電源電力が供給される。スキャナ部７は、ＰＳＵ９からＦＥＴ１０を介して電源電力が供給されることによって駆動可能となり、原稿を走査して、原稿の画像を所定の解像度で読み取ってエンジン部３のＡＳＩＣ２１に出力する。
【００１７】
プロッタ部８には、ＰＳＵ９からＦＥＴ１０を介して電源電力が供給され、プロッタ部８は、ＰＳＵ９からＦＥＴ１０を介して電源電力が供給されることによって駆動する。プロッタ部８は、実行制御部２の制御下で、図示しないメモリまたはハードディスク等に格納されている画像イメージデータに基づいて、例えば、電子写真方式、あるいは、インク噴射方式等の画像形成方式で、画像を用紙に印刷出力（画像形成出力）する。プロッタ部８は、例えば、電子写真方式の場合、電子写真方式で画像形成するのに必要な各部、例えば、感光体、光書き込み部、現像部、帯電部、除電部及びクリーニング部等を備えている。プロッタ部８は、その書き込み部が、描画データ及び制御信号により光書き込み部を動作させて感光体上に静電潜像を形成し、現像部によりトナーを感光体上に供給して現像して感光体上の静電潜像を現像して、トナー画像を形成する。プロッタ部８は、給紙部から用紙を感光体と転写部との間に給紙して、感光体上のトナー画像を用紙に転写させ、トナー画像の転写された用紙を定着部に搬送して、定着部で加熱・加圧して用紙上のトナー画像を定着させることで、画像を形成する。
【００１８】
操作制御部３には、オペレーションパネル４、スピーカ６及び実行制御部２が接続されており、ＰＳＵ９から電源電力が供給されて、各種設定操作を可能とする。オペレーションパネル４には、電源スイッチ１２がオン操作されていて複合装置１に通常電力が供給されていることを点灯して示すパワーＬＥＤ（Light Emitting Diode）２１、設定操作内容を解除操作するのに使用されるクリアボタン２２、設定操作内容で複合装置１に動作開始を指示操作するのに使用されるスタートボタン２３、スタートボタン２３でスタートさせた動作の停止を指示操作するのに使用されるストップボタン２４、数値等が入力操作されるテンキー２５、複合装置１にエラーが発生したときに点灯／点滅してエラー状態を通知するエラーＬＥＤ２６、外部からのデータの入力状態を点灯または点滅して通知するデータ入力ＬＥＤ２７、ログインする際に操作されるログインボタン２８、コピー機能を利用する際に操作されるコピーボタン２９、ファクシミリ機能を利用する際に操作されるファックスボタン３０、スキャナ機能を利用する際に操作されるスキャンボタン３１及びプリント機能を利用する際に操作されるプリントボタン３２等が設けられており、各種ボタン操作が操作制御部３によって認識されるとともに、各種ＬＥＤが操作制御部３によって点灯／消灯制御される。
【００１９】
操作制御部３は、図２に示すように、制御部４１、ＲＯＭ（Read Only Memory）４２、ＲＡＭ（Random Access Memory）４３、表示駆動部４４、キー入力受付部４５、音声出力部４６及びインターフェイス部４７等を備えている。また、操作制御部３は、図示しないが、第３リセット生成部を備えており、第３リセット生成部は、第３リセット信号を出力する。
【００２０】
インターフェイス部４７は、実行制御部２と接続され、実行制御部２との間で、信号及びコマンドの授受を行う。
【００２１】
ＲＯＭ４２には、操作制御部３としての基本プログラム及び必要なシステムデータが格納されており、特に、複合装置１の電源が投入されたときに最初に実行する第１初期化のプログラムである第１プログラムが格納されている。ＲＡＭ４３は、制御部４１のワークメモリとして利用される。
【００２２】
制御部４１は、ＣＰＵで構成されており、電源電力が供給されて初期化が完了すると、ＲＡＭ４３をワークメモリとして利用して、ＲＯＭ４２内のプログラムを実行して、オペレーションパネル４の操作制御及び音声出力制御を行う。
【００２３】
表示駆動部４４は、制御部４１の制御下で、オペレーションパネル４のＬＥＤ（パワーＬＥＤ２１、エラーＬＥＤ２６、データ入力ＬＥＤ２７等）の点灯／消灯の駆動制御を行う。キー入力受付部４５は、制御部４１の制御下で、オペレーションパネル４の各種キーやボタン（クリアボタン２２、スタートボタン２３、ストップボタン２４、テンキー２５、ログインボタン２８、コピーボタン２９、ファックスボタン３０、スキャンボタン３１、プリントボタン３２等）の入力操作を検出して、制御部４１に渡す。
【００２４】
音声出力部４６は、制御部４１とスピーカ６に接続されており、制御部４１から受け取った音声データに基づいてスピーカ６を鳴動駆動させて音声出力させる。
【００２５】
ＬＣＤ（表示手段）５は、実行制御部２の制御下で、複合装置１の状態情報、操作者に通知する各種情報及び各種操作画面を表示出力する。
【００２６】
実行制御部２は、スキャナ部７、プロッタ部８、ＵＳＢ機器、ネットワーク、ＬＣＤ５、操作制御部３及びＦＥＴ１０、１１に接続され、ＰＳＵ９から電源電力が供給される。
【００２７】
実行制御部２は、図３に示すように、クロック制御部５１、ＤＤＲ−ＳＤＲＡＭ(Double-Data-Rate Synchronous Dynamic Random Access Memory)５２、ボード電力制御部５３、外部電力制御部５４、ＰＨＹクロック制御部５５、ＰＨＹ（Physical Layer Device）５６、ハードディスク（ＨＤＤ：Hard Disk Drive）５７、ＲＯＭ（Read Only Memory）５８、ＣＰＵ（Central Processing Unit ）５９及びＡＳＩＣ６０等をボード上に搭載しており、ＡＳＩＣ６０は、ＯＰＵ（Opelation Unit）  Ｉ／Ｆ６１、ＡレジスタとＢレジスタを備えるレジスタ６２、ＭＥＭ  Ｉ／Ｆ６３、ＰＭ（Power Management）６４、ＬＣＤ  Ｉ／Ｆ６５、ＭＡＣ（Media Access Control）６６、ＵＳＢ（Universal Serial Bus）６７、ＨＤＤ  Ｉ／Ｆ６８、ＲＯＭ  Ｉ／Ｆ６９、ＣＰＵ  Ｉ／Ｆ７０及びＰＣＩ（Peripheral Component Interconnect）  Ｉ／Ｆ７１等を搭載していて、上記各部は、インターナルバス７２に接続されている。なお、図示しないが、実行制御部２は、第１リセット生成部と第２リセット生成部を有している。
【００２８】
クロック生成部５１は、各種周波数のクロックを生成して、実行制御部２の必要な各部にクロックを供給し、特に、ＣＰＵ５９及びＡＳＩＣ６０にクロックを供給する。
【００２９】
ボード電力制御部５３は、ＰＭ６４の制御下で、実行制御部２の各部に供給する電力を制御し、省電力モードにおいて電力の供給を停止するＡＳＩＣ６０外のパワーオフ領域Ｒａ、ＡＳＩＣ６０上の、省電力モードにおいても電力の供給を行うＡＳＩＣ６０内のパワーオン領域Ｒｂと省電力モードにおいてＰＭ６４よって電力の供給が停止されるその他の領域に領域区分して電力供給制御を行う。
【００３０】
外部電力制御部５４は、ＰＭ６４の制御下で、実行制御部２外の各部、例えば、スキャナ部７、プロッタ部８及びＬＣＤ５等に供給する電力を制御する。すなわち、外部電力制御部５４は、ＰＭ６４の制御下で、ＦＥＴ１０及びＦＥＴ１１の動作を制御して、スキャナ部７及びプロッタ部８への電力供給及びＬＣＤ５への電力供給を制御し、通常モードにおいては、スキャナ部７、プロッタ部８及びＬＣＤ５へ電力供給して、省電力モードにおいては、ＦＥＴ１０及びＦＥＴ１１をオフにしてスキャナ部７とプロッタ部８への電力供給を遮断するとともに、ＬＣＤ５への電力供給を遮断する。
【００３１】
ＰＨＹクロック制御部５５は、ＰＨＹ５６の利用するクロックを生成し、ＰＨＹ５６に出力する。ＰＨＹ５６は、ＡＳＩＣ６０のＭＡＣ６６に接続されているとともに、ネットワークに接続されており、ネットワークには、コンピュータ等の外部装置が接続されている。ＰＨＹ５６は、ＰＨＹクロック生成部４５からのクロックに基づいて動作して、ネットワークからのデータを受信してＡＳＩＣ６０のＭＡＣ６６に渡し、また、ＭＡＣ６６から受け取ったデータをネットワークに対して送信する。
【００３２】
ハードディスク５７は、ＡＳＩＣ６０のＨＤＤ  Ｉ／Ｆ６８に接続されていて、ＣＰＵ５９の制御下で、ＡＳＩＣ６０で処理された画像データを受け取って蓄積し、また、蓄積しているデータを読み出してＨＤＤ  Ｉ／Ｆ６８に渡す。また、ハードディスク５７は、上記ＲＯＭ５８の第１初期化後に実行する第２初期化プログラムを格納している。
【００３３】
ＲＯＭ５８は、ＡＳＩＣ６０のＲＯＭ  Ｉ／Ｆ６９に接続されており、複合装置１としての基本プログラム、本発明の省電力制御プログラム及び必要なシステムデータを格納している。なお、この基本プログラム及び省電力制御プログラムは、ＲＯＭ５８に格納されるものに限るものではなく、ハードディスク５７等に格納されていてもよい。以下の説明では、ハードディスク５７にプログラムが格納されているものとして説明する。
【００３４】
ＣＰＵ５９は、ＡＳＩＣ６０のＣＰＵ  Ｉ／Ｆ７０に接続されており、ＲＯＭ５８内のプログラムに基づいて複合装置１の各部を制御して、複合装置１としての基本処理を実行するとともに、後述する本発明の省電力制御方法を実行する。
【００３５】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の省電力制御方法を実行する省電力制御プログラムを読み込んでＲＯＭ５８やハードディスク５７に導入することで、後述する省電力復帰時に複合装置１の異常状態等の状態情報を適切に出力しつつ省電力モードから復帰する省電力制御方法を実行する画像形成装置として構築されている。この省電力制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３６】
ＤＤＲ−ＳＤＲＡＭ５２は、ＡＳＩＣ６０のＭＥＭ  Ｉ／Ｆ６３に接続されており、半導体集積回路で構成されたＤＲＡＭの規格の一種である。ＤＤＲ−ＳＤＲＡＭ５２は、クロック信号の立ち上がり／立ち下がりのそれぞれでデータをＭＥＭ  Ｉ／Ｆ６３との間でやり取りし、高速に動作するメモリである。ＤＤＲ−ＳＤＲＡＭ５２には、ハードディスク５７に格納されているプログラムがＭＥＭ  Ｉ／Ｆ６３を介して展開され、ＣＰＵ５９による高速なプログラムの実行を可能としている。
【００３７】
ＡＳＩＣ６０は、スキャナ部７で読み取った原稿の画像データ、コンピュータＰＣからの画像データ及びＦＣＵで受信したファクシミリ画像データをプロッタ部８で印刷可能な画像データへの変換、ＦＣＵでファクシミリ送信可能な画像データ及びコンピュータＰＣに転送可能な画像データに変換するとともに、外部と通信可能なインターフェイスを備えている。すなわち、ＡＳＩＣ６０は、ＣＰＵ  Ｉ／Ｆ７０でＣＰＵ５９に、ＲＯＭ  Ｉ／Ｆ６９によってＲＯＭ５８に、ＨＤＤ  Ｉ／Ｆ６８によってハードディスク５７にそれぞれ接続され、ＵＳＢ６７には、ＵＳＢ端末、例えば、コンピュータＰＣ等が接続されて、ＵＳＢ端末との間で、データ及びコマンドの授受を行って、内部で画像データの変換を行う。
【００３８】
ＬＣＤ  Ｉ／Ｆ６５には、ＬＣＤ５が接続されており、ＬＣＤ５へ表示データを表示する上でのインターフェイス処理を行う。
【００３９】
ＰＣＩ  Ｉ／Ｆ７１は、スキャナ部７、プロッタ部８及び図示しないＦＣＵに接続され、これらの動作のインターフェイスを行う。
【００４０】
ＡＳＩＣ６０は、上記パワーオン領域Ｒｂに、ＯＰＵ  Ｉ／Ｆ６１、レジスタ６２、ＭＥＭ  Ｉ／Ｆ６及びＰＭ６４が設けられており、ＯＰＵ  Ｉ／Ｆ６１は、操作制御部３及びＰＭ６４に接続されていて、操作制御部３とのインターフェイス処理を行うとともに、省電力モードにおいてオペレーションパネル４が操作されたことを示す情報が操作制御部３から入ると、ＰＭ６４に通知する。
【００４１】
レジスタ６２は、インターナルバス７２に接続されており、ＡＳＩＣ６０内のＯＰＵ  Ｉ／Ｆ６１、ＭＥＭ  Ｉ／Ｆ６３及びＰＭ６４の初期化が完了すると、「１」に設定されてこれらの再初期化を防止するＡレジスタと、複合装置１の操作者がＲＡＭ４３に登録されていると、「１」に設定されるＢレジスタとを有している。
【００４２】
ＭＥＭ  Ｉ／Ｆ６３は、ＤＤＲ−ＳＤＲＡＭ５２、ＰＭ６４及びインターナルバス７２に接続されており、ＤＤＲ−ＳＤＲＡＭ５２の２つの動作モードである通常モードとセルリフレッシュモードのモード設定及びデータの読み書きを行う。後述するように、ＭＥＭ  Ｉ／Ｆ６３は、ＲＯＭ５８のプログラムによって通常モードに設定されると、ハードディスク５７のプログラムをＤＤＲ−ＳＤＲＡＭ５２に書き込むことができる。また、ＭＥＭ  Ｉ／Ｆ６３は、ＣＰＵ５９からの設定によってＤＤＲ−ＳＤＲＡＭ５２を通常モードからセルフ・リフレッシュモードに移行させて、メモリの消費電力を削減させる。さらに、ＭＥＭ  Ｉ／Ｆ６３は、ＰＭ６４からの通知によってＤＤＲ−ＳＤＲＡＭ５２をセルフ・リフレッシュモードから解除して通常モードに戻す。
【００４３】
ＰＭ６４は、ＯＰＵ  Ｉ／Ｆ６１、ＭＥＭ  Ｉ／Ｆ６３、ボード電力制御部５３、外部電力制御部５４、インターナルバス７２及びＦＣＵに接続されており、通常モードから省電力モードへの移行処理、ＯＰＵ  Ｉ／Ｆ６１を介して入力される操作信号、ＦＣＵからの受信信号及びインターナルバス７２を介して入力される信号に基づいて、ボード電力制御部５３及び外部電力制御部５４を介して省電力モードから通常モードへの復帰処理、ＭＥＭ  Ｉ／Ｆ６３を介したＤＤＲ−ＳＤＲＡＭ５２のセルフ・リフレッシュモード解除処理等を行う。そして、上記ＯＰＵ  Ｉ／Ｆ６１、レジスタ６２、ＭＥＭ  Ｉ／Ｆ６３及びＰＭ６４は、省電力モードにおいても通電されるパワーオン領域Ｒｂに設けられている。
【００４４】
そして、上記操作制御部３のインターフェイス部４７及び実行制御部２のＯＰＵ  Ｉ／Ｆ６１は、図４に示すようにブロック構成されている。実行制御部２のＯＰＵ  Ｉ／Ｆ６１は、Ｉ２Ｃ（Inter Integrated Circuit）  Ｉ／Ｆ６１ａとＧＩＯ（汎用入出力ポート：General Purpose Input/Output）６１ｂを備え、操作制御部３のインターフェイス部４７は、Ｉ２Ｃ  Ｉ／Ｆ４７ａとＧＩＯ４７ｂを備えている。Ｉ２Ｃ  Ｉ／Ｆ６１ａとＩ２Ｃ  Ｉ／Ｆ４７ａとは、Ｉ２Ｃ  Ｉ／Ｆ６１ａがマスタ、Ｉ２Ｃ  Ｉ／Ｆ４７ａがスレーブとして動作し、クロックラインＳＣＬとデータラインＳＤＡの２本の信号線で相手を指定して通信する。ＧＩＯ４７ｂは、KEYREQ_N信号とSEC_N信号をＧＩＯ６１ｂに出力する。インターフェイス部４７のＧＩＯ４７ｂは、オペレーションパネル４でキー操作が行われて、制御部４１が、該キー操作を行ったのがＲＯＭ４２に登録されている暗証番号の操作者であることを確認すると、ＧＩＯ４７ｂから実行制御部２のＧＩＯ６１ｂへのKEYREQ_N信号をアクティブにし、また、省電力復帰操作を行った操作者が省電力モード移行前の操作者と一致すると、SEC_N信号をアクティブに、一致しない場合は、SEC_N信号をインアクティブにする。
【００４５】
実行制御部２のＧＩＯ６１ｂは、ＧＩＯ４７ｂからのKEYREQ＿N信号の状態を、インターナルバス７２を介してＣＰＵ５９に出力し、ＧＩＯ４７ｂからのSEC_N信号の状態をＰＭ６４へ出力する。
【００４６】
次に、本実施例の作用について説明する。本実施例の複合装置１は、省電力移行時に複合装置１の異常状態（消耗品切れ、紙詰まり、要メンテナンス状態等）が発生していると、省電力モードからの復帰時に、省電力復帰操作を行った操作者が省電力モード移行前の操作者とは異なる場合であっても、該異常状態を報知出力する。
【００４７】
すなわち、複合装置１は、複合装置１は、電源スイッチ１２が投入されると、図５及び図６に示す基本処理を実行する。複合装置１は、電源スイッチ１２が投入されると、図５に示すように、まず、第１初期化処理を実行する（ステップＳ１０１）。すなわち、複合装置１は、電源スイッチ１２が投入されると、ＰＳＵ９に商用電源電力が供給されて、ＰＳＵ９からＦＣＵ、操作制御部３、実行制御部２に電源電力が供給され、ＦＣＵに電源電力が供給されると、公衆回線を介したファクシミリ通信が可能になる。操作制御部３に電源が供給されると、操作制御部３内の図示しない第３リセット生成部が、リセット信号を生成して、操作制御部３が初期化され、この初期化によってインターフェイス部４７が初期化されて、インターフェイス部４７のＧＩＯ４７ｂの出力信号であるKEYREQ_N信号とSEC_N信号がインアクティブになる。また、操作制御部３の制御部４１は、初期化が行われると、ＲＯＭ４２上にある第１プログラムを実行する。実行制御部２は、電源電力が供給されると、クロック生成部５１、ＡＳＩＣ６０、ＤＤＲ−ＳＤＲＡＭ５２、図示しない第１リセット生成部に電源電力が供給され、クロック生成部５１は、電源電力が供給されると、クロックを生成して、ＣＰＵ５９、ＡＳＩＣ６０にクロックを供給する。ＡＳＩＣ６０のパワーオン領域Ｒｂには、ＯＰＵ  Ｉ／Ｆ６１、ＭＥＭ  Ｉ／Ｆ６３、レジスタ６２、ＰＭ６４があり、ＰＳＵ９から電源電力が供給されている限り電源電力が供給されて、第１リセット生成部の出力する第１リセット信号により、このパワーオン領域ＲｂにあるＯＰＵ  Ｉ／Ｆ６１、ＭＥＭ  Ｉ／Ｆ６３、レジスタ６２、ＰＭ６４とボード電力制御部５３と外部電力制御部５４を初期化する。そして、ＡＳＩＣ６０内部のＰＭ６４は、初期化されると、外部電力制御部５４とボード電力制御部５３を通常モードに制御する。外部電力制御部５４は、ＦＥＴ１１、１２をオン制御して、スキャナ部７、プロッタ部８にＰＳＵ９からの電源電力を供給させ、さらに、ＬＣＤ５に対しても電力を供給する。また、ボード電力制御部５３は、ＰＨＹクロック生成部５５、ＰＨＹ５６、ハードディスク５７、ＲＯＭ５８、ＣＰＵ５９、第２リセット生成部に電力を供給する。第２リセット生成部は、電力が供給されると、第２リセット信号を生成して、ＰＨＹ５６、ＣＰＵ５９及びＡＳＩＣ６０のパワーオン領域Ｒｂ以外の領域にあるＬＣＤ  Ｉ／Ｆ６５、ＭＡＣ６６、ＵＳＢ６７、ＨＤＤ  Ｉ／Ｆ６８、ＲＯＭ  Ｉ／Ｆ６９、ＣＰＵ  Ｉ／Ｆ７０を初期化する。上記第１初期化処理を実行すると、画像処理装置１の全体に電力が供給され、通常モードとなる。
【００４８】
複合装置１は、第１初期化処理を実行すると、次に、第２初期化処理を実行する（ステップＳ１０２）。複合装置１は、この第２初期化処理において、ハードディスク５７に格納されている第２プログラムを、ＭＥＭ  Ｉ／Ｆ６３を介してＤＤＲ−ＳＤＲＡＭ５２に展開して起動し、ＡＳＩＣ６０のパワーオン領域Ｒｂを初期化する。複合装置１は、ＡＳＩＣ６０内部のＯＰＵ  Ｉ／Ｆ６１、ＭＥＭ  Ｉ／Ｆ６３、ＰＭ６４を初期化すると、レジスタ６２のレジスタＡの内容を「１」に設定して、ＣＰＵ５９が再起動したときに、ＣＰＵ５９がレジスタ６２のレジスタＡが「１」であることによって、再初期化を行うことを防止する。また、複合装置１は、電源オン時に、レジスタ６２のＢレジスタを「０」に設定する。
【００４９】
ＣＰＵ５９は、第２初期化処理を行うと、複合装置１の内部にエラーが発生している否かを確認するエラー確認処理を行い（ステップＳ１０３）、エラー確認処理を行うと、SEC_N信号がアクティブであるか確認する（ステップＳ１０４）。なお、このエラー確認処理については、後で詳細に説明する。このSEC_N信号は、上述のように、複合装置１の電源がオンされたときに、第３リセット生成部によって初期化されて、インアクティブになり、また、後述するように、省電力復帰時に、省電力復帰前の操作者と異なる操作者により省電力復帰が行われると、インアクティブになる。また、SEC_N信号は、複合装置１の省電力復帰時に、省電力復帰前の操作者と同じ操作者により省電力復帰が行われると、アクティブになる。
【００５０】
ステップＳ１０４で、SEC_N信号がインアクティブのときには、ＣＰＵ５９は、画面情報として、複合装置１の初期化画面をＤＤＲ−ＳＤＲＡＭ５２上に設定し（ステップＳ１０５）、レジスタ６２のＢレジスタが「０」であるかチェックする（ステップＳ１０６）。
【００５１】
いま、電源投入時であり、上述のように、レジスタ６２のＢレジスタは、「０」に設定されているので、ＣＰＵ５９は、後述する操作者情報設定処理を行い（ステップＳ１０７）、操作者情報が操作制御部３のＲＡＭ４３に格納されていることを示すために、レジスタ６２のＢレジスタを、「１」に設定して（ステップＳ１０８）、ＤＤＲ−ＳＤＲＡＭ５２の画面情報をＬＣＤ  Ｉ／Ｆ６５を介してＬＣＤ５に出力して、ＬＣＤ５に初期化画面を表示させる（ステップＳ１０９）。すなわち、ＣＰＵ５９は、ＯＰＵ  Ｉ／Ｆ６１から操作制御部３に、Ｉ２Ｃ  Ｉ／Ｆ６１ａとＩ２Ｃ  Ｉ／Ｆ４７ａを通じて、操作者情報の設定開始を通知する。この場合、ＯＰＵ  Ｉ／Ｆ６１のＩ２Ｃ  Ｉ／Ｆ６１ａがマスタであり、インターフェイス部４７のＩ２Ｃ  Ｉ／Ｆ４７ａがスレーブであるので、ＯＰＵ  Ｉ／Ｆ６１のマスタであるＩ２Ｃ  Ｉ／Ｆ６１ａからインターフェイス部４７のスレーブであるＩ２Ｃ  Ｉ／Ｆ４７ａに操作者情報設定開始通知の通信を行う。
【００５２】
次に、ＣＰＵ５９は、ＤＤＲ−ＳＤＲＡＭ５２の画面情報をＬＣＤ５に表示すると、待機状態となって、予め設定されている所定時間（待ち時間）をソフトウェアタイマ等で掲示して、該所定時間が経過する前に、オペレーションパネル４でキー入力があったか否かを操作表示部３からの操作信号の有無によって判定する（ステップＳ１１０、Ｓ１１１）。操作制御部３は、このオペレーションパネル４上のいずれかのキーが押されたかどうかを、操作制御部３のキー入力受付部４５と制御部４１で検知する。すなわち、オペレーションパネル４上のいずれかのキーが操作されると、制御部４１が、インターフェイス部４７のＧＩＯ４７ｂの出力するKEYREQ_N信号をアクティブにして、キー入力があったことを、実行制御部２のＯＰＵ  Ｉ／Ｆ６１のＧＩＯ６１ｂに通知し、ＧＩＯ６１ｂが、KEYREQ_N信号がアクティブなったことを割り込み等で検出すると、ＣＰＵ５９に通知して、ＣＰＵ５９がキー入力があったことを認識する。なお、ＣＰＵ５９は、KEYREQ_N信号がインアクティブであると、キー入力がないと判断する。
【００５３】
ＣＰＵ５９は、ステップＳ１１０で、キー入力があったと判断すると、ＯＰＵ  Ｉ／Ｆ６１のマスタとして機能するＩ２Ｃ  Ｉ／Ｆ６１ａから操作制御部３のスレーブとして機能するＩ２Ｃ  Ｉ／Ｆ４７ａに、押されたキーのデータ転送コマンド（押されたキーのデータの転送を要求するコマンド）を送付し、操作制御部３は、Ｉ２Ｃ  Ｉ／Ｆ４７ａがキーデータ転送コマンドを受信すると、押されたキーのデータをＩ２Ｃ  Ｉ／Ｆ４７ａから実行制御部２のＩ２Ｃ  Ｉ／Ｆ６１ａに転送する。Ｉ２Ｃ  Ｉ／Ｆ６１ａは、転送されてきたキーデータをＣＰＵ５９に渡し、ＣＰＵ５９は、キーデータに対応する処理を実行して（ステップＳ１１２）、再度所定時間が経過する前にキー入力があったかのチェック処理を行う（ステップＳ１１０、Ｓ１１１）。例えば、ＣＰＵ５９は、検知したキー入力に従ってＬＣＤ５の操作画面の画面情報を更新する場合、ＤＤＲ−ＳＤＲＡＭ５２上の操作画面データを新たな画面情報で更新し、ＤＤＲ−ＳＤＲＡＭ５２の更新後の画面情報を、ＬＣＤ  Ｉ／Ｆ６５を介してＬＣＤ５に転送して、ＬＣＤ５上に更新後の画面情報を表示させる。
【００５４】
ステップＳ１１１で、ＣＰＵ５９は、キー入力がないまま所定時間が経過すると、メモリ（ＤＤＲ−ＳＤＲＡＭ５２）の消費電力を大幅に削減するために、ＤＤＲ−ＳＤＲＡＭ５２をセルフ・リフレッシュモードに移行させるコマンドを、ＭＥＭ  Ｉ／Ｆ６３に発行し、ＤＤＲ−ＳＤＲＡＭ５２をセルフ・リフレッシュモードに移行させる（ステップＳ１１３）。
【００５５】
ＣＰＵ５９は、セルフ・リフレッシュモードに移行させるコマンドを発行すると、ＰＭ６４に、ＤＤＲ−ＳＤＲＡＭ５２が低消費電力モードに移行したことを通知し、ＰＭ６４は、ＤＤＲ−ＳＤＲＡＭ５２が低消費電力モードに移行すると、複合装置１内部の電源電力を部分的（パワーオン領域Ｒｂ以外の領域部分）にオフして、省電力モードに移行する（ステップＳ１１４）。すなわち、ＰＭ６４は、外部電力制御部５４、ボード電力制御部５４及びＡＳＩＣ６０内部の電源電力の供給を省電力モードに制御する。外部電力制御部５４は、ＰＭ６４から省電力制御信号が入力されると、ＦＥＴ１１、１２をオフにして、プロッタ部８とスキャナ部７へのＰＳＵ９からの電源電力を遮断させ、また、ＬＣＤ５への電源電力の供給もオフにする。また、ボード電力制御部５４は、ＰＨＹクロック生成部５５、ＰＨＹ５６、ハードディスク５７、ＲＯＭ５８、ＣＰＵ５９、第２リセット生成部の電源の供給を停止し、さらに、ＰＭ６４は、ＡＳＩＣ６０内部のパワーオン領域Ｒｂ以外の領域部分にあるＬＣＤ  Ｉ／Ｆ６５、ＭＡＣ６６、ＵＳＢ６７、ＨＤＤ  Ｉ／Ｆ６８、ＲＯＭ  Ｉ／Ｆ６９、ＣＰＵ  Ｉ／Ｆ７０、ＰＣＩ  Ｉ／Ｆ７０への電源供給を停止する。なお、この省電力モードにおいては、操作制御部３には電源電力が供給されているが、制御部４１はＣＰＵ５９よりも消費電力が少ないため、制御部４１が動作していても消費電力を削減することができる。
【００５６】
複合装置１は、省電力モードに移行すると、所定の省電力復帰要因が発生したか否かを調べて、省電力復帰要因を検出すると、省電力モードから通常モードへ復帰する省電力復帰処理を行い（ステップＳ１１５）、省電力復帰処理を行うと、KEYREQ_N信号がアクティブであるか、すなわち、登録ユーザの操作者が省電力復帰要求を行ったかチェックする（ステップＳ１１６）。
【００５７】
すなわち、省電力中においても実行制御部２のＯＰＵ  Ｉ／Ｆ６１に電源が供給されているため、ＯＰＵ  Ｉ／Ｆ６１のＧＩＯ６１ｂは、操作制御部３からのKEYREQ_N信号がアクティブになったことを検知すると、ＰＭ６４に省電力復帰要因が発生したことを通知する（ステップＳ１１７）。
【００５８】
ＰＭ６４は、省電力モード中に省電力復帰要因が発生した旨の通知があると、複合装置１内部で電源電力の供給を停止していた箇所に電源電力の供給を再開する制御を行う（ステップＳ１１８）。すなわち、ＰＭ６４は、外部電力制御部５４、ボード電力制御部５４及びＡＳＩＣ６０内部に通常モードへの移行制御を行い、外部電力制御部５４は、ＦＥＴ１１、１２をオンにして、ＰＳＵ９からプロッタ部８とスキャナ部７へ電源電力の供給を開始させるとともに、ＬＣＤ５への電源電力の供給も開始する。ボード電力制御部５４は、ＰＨＹクロック生成部５５、ＰＨＹ５６、ハードディスク５７、ＲＯＭ５８、ＣＰＵ５９、第２リセット生成部への電源電力の供給を再開する。さらに、ＰＭ６４は、ＡＳＩＣ６０内部のパワーオン領域Ｒｂ以外の領域にあるＬＣＤ  Ｉ／Ｆ６５、ＭＡＣ６６、ＵＳＢ６７、ＨＤＤ  Ｉ／Ｆ６８、ＲＯＭ  Ｉ／Ｆ６９、ＣＰＵ  Ｉ／Ｆ７０及びＰＣＩ  Ｉ／Ｆ７０への電源供給を再開する。そして、ＰＭ６４は、ＭＥＭ  Ｉ／Ｆ６３にＤＤＲ−ＳＤＲＡＭ５２のセルフ・リフレッシュモードを解除して、通常モードに移行させる通知を行う。ＭＥＭ  Ｉ／Ｆ６３は、この通知を受けてＤＤＲ−ＳＤＲＡＭ５２を通常モードへ移行させる。
【００５９】
ＣＰＵ５９は、通常モードに移行すると、ステップＳ１０２に戻って、第２初期化処理から上記同様に処理し（ステップＳ１０２）、エラー確認処理を行って（ステップＳ１０３）、ＳＥＣ_Ｎ信号がアクティブであるかチェックする（ステップＳ１０４）。
【００６０】
ステップＳ１０４で、ＳＥＣ_Ｎ信号がアクティブであると、ＤＤＲ−ＳＤＲＡＭ５２に既に記憶されている画面情報を、表示画面として設定し（ステップＳ１１９）、ＤＤＲ−ＳＤＲＡＭ５２の画面情報をＬＣＤ  Ｉ／Ｆ６５を介してＬＣＤ５に出力して、ＬＣＤ５にＤＤＲ−ＳＤＲＡＭ５２の画面情報を表示させる（ステップＳ１０９）。ＣＰＵ５９は、ＬＣＤ５２への画面情報の表示を行うと、図６のステップＳ１１０に移行して、上記同様に処理する（ステップＳ１１０〜Ｓ１１９）。
【００６１】
そして、ＣＰＵ５９は、上記ステップＳ１０３のエラー確認処理を、図７に示すように実行する。すなわち、ＣＰＵ５９は、複合装置１の備えている各種センサからの信号等に基づいて、用紙切れ、画像形成材（トナー、インク等）切れ等の複合装置１にエラー（異常）が発生しているかどうかを確認する（ステップＳ２０１）。例えば、ＣＰＵ５９は、プロッタ部８と通信してプロッタ部８にエラーが発生しているか否か、また、スキャナ部７と通信してスキャナ部７にエラーが発生しているか否か、さらに、ＦＣＵと通信してＦＣＵにエラーが発生しているか否か等のエラー発生の有無を確認する。
【００６２】
ＣＰＵ５９は、ステップＳ２０１で、エラーが発生していないときには、そのままエラー確認処理を終了し、エラーが発生していると、エラー情報（例えば、プロッタ部８の画像形成材の不足情報）を画面情報としてＤＤＲ−ＳＤＲＡＭ５２に設定し（ステップＳ２０２）、ＬＣＤ５にエラー情報として、ＤＤＲ−ＳＤＲＡＭ５２の該画面情報を表示する（ステップＳ２０３）。
【００６３】
ＣＰＵ５９は、エラー情報の表示を行うと、エラーの強制解除が行われたかチェックし（ステップＳ２０４）、エラー強制解除が行われると、エラーが解消されたとして、エラー確認処理を終了する。ここで、エラー強制解除とは、エラー情報のＬＣＤ５への表示が行われているときに、例えば、トナー不足でも、コピー、プリント結果の濃度が薄くなっても緊急度が高いコピー、プリントアウト等を実行するのに強制的にプロッタ部８等を使用可能とするために行われる強制的にエラーを解除させる操作であり、例えば、オペレーションパネルの特定のキー（例えば、＃キー）を押下する操作である。
【００６４】
ＣＰＵ５９は、ステップＳ２０４で、エラーの強制解除が行われないときには、トナーの補充、交換等のエラー解除に必要な作業が行われることによってエラーが解消されたかチェックし（ステップＳ２０５）、エラーが解消されていないときには、ステップＳ２０１に戻って、エラー発生の確認から上記同様に処理する（ステップＳ２０１〜Ｓ２０５）。
【００６５】
ＣＰＵ５９は、ステップＳ２０５で、エラーが解消されると、エラー確認処理を終了する。
【００６６】
また、複合装置１は、操作制御部３の制御部４１が、図５のステップＳ１０７の操作者情報設定処理を、図８に示すように実行する。すなわち、制御部４１は、操作者情報設定処理において、まず、ＲＯＭ４２に格納されているプログラムに基づいて、暗証番号の入力案内を行い、ログインキー２８が押下されたことを、キー入力受付部４５から通知されると（ステップＳ３０１）、操作者に暗証番号の入力を案内する案内情報（例えば、「暗証番号の入力をしてください」等の音声情報）を、音声出力部４６を介してスピーカ６から音声出力する（ステップＳ３０２）。この場合、制御部４１は、入力案内情報の補助案内情報として、例えば、「４桁の暗証番号を入力後、＃キーを押してください」等の音声情報を音声出力部４６を介してスピーカ６から出力して、暗証番号の入力方法を操作者に通知するようにしてもよい。
【００６７】
制御部４１は、暗証番号が入力されたかチェックし（ステップＳ３０３）、入力内容が暗証番号の入力形式として間違っているときには、暗証番号の入力形式が間違っている旨の案内情報、例えば、「暗証番号の入力方法に間違いがあります。ログインからやり直してください。」等の案内情報を音声出力部４６を介してスピーカ６から音声出力して（ステップＳ３０２）、ステップＳ３０１に戻って、上記同様に処理する（ステップＳ３０１〜Ｓ３０４）。制御部４１は、上述の場合、暗証番号が入力されたか否かを、「＃」キーが入力されたか否かの情報がキー入力受付部４５から制御部４１に通知されたか否かによって確認することができ、４桁以外の暗証番号が入力された場合や４桁の暗証番号の次に「＃」キー以外のキーが押された場合等の間違った入力形式の暗証番号が入力された場合には、上記暗証番号の入力形式が間違っている旨の案内情報を出力する。
【００６８】
ステップＳ３０３で、入力形式の正しい暗証番号が入力されると、制御部４１は、登録ユーザであるか否かの確認を行う（ステップＳ３０５）。制御部４１は、入力された暗証番号が、以前に登録処理が行われてＲＯＭ４２に既に登録されている暗証番号と一致する暗証番号であるか否かに基づいて、暗証番号を入力した操作者が登録ユーザであるか否か確認する。
【００６９】
制御部４１は、ステップＳ３０５で、操作者が登録ユーザのときには、操作制御部３のＲＡＭ４３に操作者番号として、暗証番号を設定して記憶し、操作者情報設定処理を終了する（ステップＳ３０６）。
【００７０】
制御部４１は、ステップＳ３０５で、登録ユーザでないときには、操作者に暗証番号を登録するかどうかの案内情報、例えば、「入力した暗証番号を登録するなら「１」を、登録しない場合は「０」のキーを押してください。」等の案内情報を、音声出力部４６を介してスピーカ６から音声出力し（ステップＳ３０７）、登録が選択されたかチェックする（ステップＳ３０８）。
【００７１】
制御部４１は、ステップＳ３０８で、暗証番号を登録しないが選択されたとき、例えば、「１」以外のキーが入力されたときには、ステップＳ３０１に戻って、上記同様の処理を行う（ステップＳ３０１〜Ｓ３０８）。なお、上記説明では、「１」以外のキーが入力されたときに、登録しないが選択されたと判断するのは、登録しない場合は、適切なキー入力であれば、「０」キーが押下されることになるが、「１」、「０」以外のキーが押される可能性もあるため、「１」キー以外のキーが入力された場合は、登録しないとみなすこととしている。
【００７２】
ステップＳ３０８で、暗証番号を登録するが選択されたとき、例えば、「１」キーが押されたときには、制御部４１は、入力された暗証番号をＲＯＭ４２に登録し（ステップＳ３０９）、操作制御部３内のＲＡＭ４３に操作者番号として、暗証番号を設定して記憶して、操作者情報設定処理を終了する（ステップＳ３０６）。
【００７３】
そして、上記制御部４１による操作者情報設定処理が完了して、ＲＡＭ４３に操作者番号が設定されると、上述のように、ＣＰＵ５９が、ＡＳＩＣ６０内のレジスタ６２のＢレジスタに、「１」を設定する（ステップＳ１０８）。
【００７４】
さらに、複合装置１は、図６のステップＳ１１５の省電力復帰処理を、操作制御部３の制御部４１が、図９に示すように実行する。すなわち、制御部４１は、省電力モードにおいて、オペレーションパネル４におけるいずれかのキー入力をキー入力受付部４５が受け付けたかをチェックし（ステップＳ４０１）、キー入力があると、操作者に暗証番号の入力を促す案内情報、例えば、「４桁の暗証番号を入力後、＃キーを押してください。」等の案内情報を、音声出力部４６を介してスピーカ６から音声出力して（ステップＳ３０２）、暗証番号が入力されたかチェックする（ステップＳ４０３）。
【００７５】
制御部４１は、上述の場合、暗証番号が入力されたか否かを、「＃」キーが入力されたか否かがキー入力受付部４５から制御部４１に通知されたか否かによって確認することができ、４桁以外の暗証番号が入力された場合や４桁の暗証番号の次に「＃」キー以外のキーが押された場合等の間違った入力形式が暗証番号が入力された場合には、ステップＳ４０２に戻って、上記案内情報を出力して（ステップＳ４０２）、暗証番号が入力されたかチェックする（ステップＳ４０３）。
【００７６】
ステップＳ４０３で、暗証番号が入力されると、制御部４１は、入力された暗証番号が既にＲＯＭ４２に登録されている暗証番号と一致するか否かによって、操作者が登録ユーザであるか否か確認し（ステップＳ４０４）、登録ユーザでないときには、暗証番号が間違っている旨の警告情報、例えば、「入力した暗証番号は登録されていません。」等の警告情報を、音声出力部４６を介してスピーカ６から音声出力して（ステップＳ４０５）、ステップＳ４０２に戻って、上記同様に処理する（ステップＳ４０２〜Ｓ４０５）。
【００７７】
ステップＳ４０４で、入力された暗証番号が既にＲＯＭ４２に登録されている暗証番号と一致するときには、制御部４１は、インターフェイス部４７のＧＩＯ４７ｂから出力している省電力復帰を指示するKEYREQ_N信号をアクティブにする（ステップＳ４０６）。このKEYREQ_N信号は、図４に示したように、インターフェイス部４７のＧＩＯ４７ｂから実行制御部２のＧＩＯ６１ｂに出力されているため、省電力復帰を実行制御部２のＣＰＵ５９で検知することができる。
【００７８】
そして、制御部４１は、省電力復帰に際して入力された暗証番号が省電力モードへ移行する前に使用されていた暗証番号であるか確認する（ステップＳ４０７）。制御部４１は、この入力された暗証番号が省電力モード移行前の暗証番号であるか否かの確認を、入力された暗証番号が、操作制御部３のＲＡＭ４３に格納されている暗証番号と一致するか否かを調べることで行う。
【００７９】
ステップＳ４０７で、入力された暗証番号が省電力モード移行前の暗証番号であると、制御部４１は、省電力復帰時の操作者が省電力モード移行前の操作者と同じであると判断して、省電力復帰時の操作者と省電力モード移行前の操作者が同じであることを示すSEC_N信号をアクティブにして、省電力復帰処理を終了する（ステップＳ４０８）。
【００８０】
ステップＳ４０７で、入力された暗証番号が省電力モード移行前の暗証番号と異なるときには、制御部４１は、省電力復帰時の操作者と省電力モード移行前の操作者とが異なると判断して、省電力復帰時の操作者と省電力モード移行前の操作者が異なることを示すSEC_N信号をインアクティブにして、省電力復帰処理を終了する（ステップＳ４０９）。
【００８１】
そして、実行制御部２は、図６に示したように、省電力復帰処理が完了すると、KEYREQ_N信号がアクティブであるか、すなわち、登録ユーザの操作者が省電力復帰要求を行ったかチェックする（ステップＳ１１６）。すなわち、省電力中においても実行制御部２のＯＰＵ  Ｉ／Ｆ６１に電源が供給されているため、ＯＰＵ  Ｉ／Ｆ６１のＧＩＯ６１ｂは、操作制御部３からのKEYREQ_N信号がアクティブになったことを検知すると、ＰＭ６４に省電力復帰要因が発生したことを通知する（ステップＳ１１７）。ＰＭ６４は、省電力モード中に省電力復帰要因が発生した旨の通知があると、複合装置１内部で電源電力の供給を停止していた箇所に電源電力の供給を再開する制御を行い（ステップＳ１１８）、図５の第２初期化処理に移行する。
【００８２】
そして、省電力復帰すると、ＤＤＲ−ＳＤＲＡＭ５２上には既にハードディスク５７の第２プログラムがロードされており、省電力モード移行前にＬＣＤ５に表示していた画面情報もＤＤＲ−ＳＤＲＡＭ５２上に記憶されている。第２初期化処理では、ＤＤＲ−ＳＤＲＡＭ５２上にロードされている第２プログラムを実行してＡＳＩＣ６０内部の初期化から実行する。ＣＰＵ５９は、第２プログラムを起動して、ＡＳＩＣ６０内部を初期化するが、電源オン時の初期化処理でレジスタ６２のＡレジスタを「１」に設定しているので、ＡＳＩＣ６０内部のＯＰＵ  Ｉ／Ｆ６１、ＭＥＭ  Ｉ／Ｆ６３、ＰＭ６４を初期化する必要がない。
【００８３】
ＣＰＵ５９は、第２初期化処理を行うと、複合装置１の内部にエラーが発生している否かを確認するエラー確認処理を行い（ステップＳ１０３）、エラー確認処理を行うと、SEC_N信号がアクティブであるか確認して（ステップＳ１０４）、省電力復帰操作した操作者が省電力モード移行前の操作者であるか否か判断して、該判断結果に応じた画面情報をＬＣＤ５に表示する（ステップＳ１０５〜Ｓ１０９、Ｓ１１９）。
【００８４】
なお、上記説明では、操作者が、オペレーションパネル４のログインキー２８を操作して、暗証番号を入力することで、実行制御部２が処理を開始するようになっているが、操作者がログインキー２８を操作する場合に限らず、ネットワークやＵＳＢ６７に接続されている外部装置やコンピュータＰＣからの通信によって、実行制御部２で処理を開始してもよい。
【００８５】
すなわち、ネットワークから通信データが送られてくると、ＰＨＹ５６を経由してＡＳＩＣ６０内部のＭＡＣ６６でネットワークデータの有無を検出し、ＣＰＵ５９が、ＭＡＣ６６からの割り込みをインターナルバス７２を介して受け取って、ネットワークデータの受信を検知する。例えば、複合装置１は、ネットワークから印刷命令を受信した場合、ＣＰＵ５９で画像データを処理してＤＤＲ−ＳＤＲＡＭ５２上に展開し、プロッタ部８が用紙ジャム等のエラー時に再印刷可能とするために、ハードディスク５７にも記憶する。複合装置１は、その後、画像データをＰＣＩ  Ｉ／Ｆ７１を介して、プロッタ部８に送って、プロッタ部８で用紙に画像を印刷出力する。複合装置１は、プロッタ部８が用紙なし状態等のエラー状態になった場合、ハードディスク５７に格納されている画像データを使用して、再印刷を行う。また、複合装置１は、ネットワークからスキャナ部７の画像読み取り命令を受信すると、ＣＰＵ５９が、スキャナ部７で読み取った画像データをＤＤＲ−ＳＤＲＡＭ５２に記憶しつつ、ハードディスク５７にも記憶し、ＤＤＲ−ＳＤＲＡＭ５２に記憶した画像データをネットワークを経由して、ネットワーク上の外部装置に送信する。また、複合装置１は、スキャナ部７で読み取った画像データをハードディスク５７に記憶しているため、再度、画像データがスキャナ部７で読み取ることなく、ハードディスク５７の画像データを再利用することができる。
【００８６】
このように、本実施例の複合装置１は、待機状態において処理要求が発生することなく所定の待ち時間が経過して移行した消費電力を削減する省電力モードにおいて、所定の省電力復帰要因が発生すると、該省電力モードから電力が全ての部分に供給されている通常モードに復帰させる復帰処理を行うが、複合装置１の異常状態の発生が検出されていると、該復帰処理を該異常状態に基づいて制御するとともに、該異常状態を通知する異常状態通知情報を含む操作画面をＬＣＤ５に表示している。
【００８７】
したがって、省電力モードからの復帰時に、複合装置１の状態を操作者が適切に認識することができ、複合装置１の利用性を向上させることができる。
【００８８】
また、本実施例の複合装置１は、複合装置１を利用する操作者（利用者）の操作者情報（利用者情報）を取得し、前記省電力モードへ移行する前に取得した操作者情報と前記省電力復帰時に取得した操作者情報に基づいて前記異常状態通知情報を含む操作画面の表示内容を変更している。
【００８９】
したがって、異常状態を認識していた操作者であるか否か等に応じて、操作画面の表示内容を切り替えることができ、複合装置１の利用性をより一層向上させることができる。
【００９０】
さらに、本実施例の複合装置１は、異常状態の通知の解除が指示されると、異常状態通知情報のＬＣＤ５への表示を解除し、復帰処理を実行して通常モードに復帰している。
【００９１】
したがって、緊急度の高い処理を行う場合に、該処理を異常状態の解消作業よりも優先して実行することができ、利用性を向上させることができる。
【００９２】
また、本実施例の複合装置１は、オペレーションパネル４の操作に基づいて、操作者情報を取得している。
【００９３】
したがって、異常状態を認識していた操作者であるか否か等を適切に確認して、操作画面の表示内容を切り替えることができ、複合装置１の利用性をより一層向上させることができる。
【００９４】
さらに、本実施例の複合装置１は、オペレーションパネル４から入力される暗証番号に基づいて、操作者情報を取得している。
【００９５】
したがって、異常状態を認識していた操作者であるか否か等を適切に確認して、操作画面の表示内容を切り替えることができ、複合装置１の利用性をより一層向上させることができる。
【００９６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９７】
本発明は、省電力モードを備えた複合装置、プリンタ装置等の画像形成装置、省電力制御方法、省電力制御プログラム及び記録媒体に利用することができる。
【符号の説明】
【００９８】
１  複合装置
２  実行制御部
３  操作制御部
４  オペレーションパネル
５  ＬＣＤ
６  スピーカ
７  スキャナ部
８  プロッタ部
９  ＰＳＵ
１０  ＦＥＴ
１１  ＦＥＴ
１２  電源スイッチ
２１  パワーＬＥＤ
２２  クリアボタン
２３  スタートボタン
２４  ストップボタン
２５  テンキー
２６  エラーＬＥＤ
２７  データ入力ＬＥＤ
２８  ログインボタン
２９  コピーボタン
３０  ファックスボタン
３１  スキャンボタン
３２  プリントボタン
４１  制御部
４２  ＲＯＭ
４３  ＲＡＭ
４４  表示駆動部
４５  キー入力受付部
４６  音声出力部
４７  インターフェイス部
４７ａ  Ｉ２Ｃ  Ｉ／Ｆ
４７ｂ  ＧＩＯ
５１  クロック制御部
５２  ＤＤＲ−ＳＤＲＡＭ
５３  ボード電力制御部
５４  外部電力制御部
５５  ＰＨＹクロック制御部
５６  ＰＨＹ
５７  ハードディスク
５８  ＲＯＭ
５９  ＣＰＵ
６０  ＡＳＩＣ
６１  ＯＰＵ  Ｉ／Ｆ
６１ａ  Ｉ２Ｃ  Ｉ／Ｆ
６１ｂ  ＧＩＯ
６２  レジスタ
６３  ＭＥＭ  Ｉ／Ｆ
６４  ＰＭ
６５  ＬＣＤ  Ｉ／Ｆ
６６  ＭＡＣ
６７  ＵＳＢ
６８  ＨＤＤ  Ｉ／Ｆ
６９  ＲＯＭ  Ｉ／Ｆ
７０  ＣＰＵ  Ｉ／Ｆ
７１  ＰＣＩ  Ｉ／Ｆ
Ｒａ  パワーオフ領域
Ｒｂ  パワーオン領域
【先行技術文献】
【特許文献】
【００９９】
【特許文献１】特開２００２−２４４５０２号公報
【図１】
2012137588.tif 000003
【図２】
2012137588.tif 000004
【図３】
2012137588.tif 000005
【図４】
2012137588.tif 000006
【図５】
2012137588.tif 000007
【図６】
2012137588.tif 000008
【図７】
2012137588.tif 000009
【図８】
2012137588.tif 000010
【図９】
2012137588.tif 000011